(57)【特許請求の範囲】
【請求項１】
ＬＥＤ発光球に抵抗器を接続した発光部と、該発光部を保持する絶縁材からなる中空筒部と該中空筒部の下端に連続する偏平部とからなるホルダ−と、該ホルダ−の下端に露出する電極とから成るＬＥＤランプにおいて、
前記電極が、前記偏平部の両偏平面に渡り、前記ＬＥＤ発光球の両端子によって一方の偏平面ではそれぞれＵ状に折曲成形されるとともに、連続して偏平部の下端から他方の偏平面に曲げ上げられて縦断面視それぞれ横向きＵ状に露出成形されて成るＬＥＤランプ。
【請求項２】
前記ホルダ−の中空筒部に、上方の透光性と下方の不透光性とを配設するとともに、ＬＥＤ発光球を収納した透光性の横向き回転筒を収蔵し、該回転筒の外周に多色に渡るフィルタ−を貼着し、該回転筒をノブで回転することにより、中空筒部の透光性上方から選択された色光を照射するフィルタ−操作部を配設して成る請求項１記載のＬＥＤランプ。
【発明の詳細な説明】
【０００１】
【発明の属する技術分野】
本発明は、主として自動車用のパーキングランプ、スモールランプ、ライセンスランプ等のランプに関する。
【０００２】
【従来の技術】
従来から使用されている上記パーキングランプ、スモールランプ、ライセンスランプ等は、フィラメントの発光によるものであるため、発熱を伴う上、電力消費が大であり、しかも、各電極が偏平面の片面にのみ露出するものであるため、前記フィラメントが衝撃や振動による接触不良で切れ易いなど、構造の面でも、経済的な面でも問題があった。
【０００３】
【発明が解決しようとする課題】
本発明は上記に鑑みて、構造が簡易な上、衝撃や振動による接触不良を起こし難く、しかも、長寿命で電力消費も少ないＬＥＤランプを提供する。
【０００４】
【課題を解決するための手段】
上記課題を解決する第１発明のＬＥＤランプは、ＬＥＤ発光球に抵抗器を接続した発光部と、該発光部を保持する絶縁材からなる中空筒部と該中空筒部の下端に連続する偏平部とからなるホルダ−と、該ホルダ−の下端に露出する電極とから成るＬＥＤランプにおいて、
前記電極が、前記偏平部の両偏平面に渡り、前記ＬＥＤ発光球の両端子によって一方の偏平面ではそれぞれＵ状に折曲成形されるとともに、連続して偏平部の下端から他方の偏平面に曲げ上げられて縦断面視それぞれ横向きＵ状に露出成形されて成る。
さらに、第２発明のＬＥＤランプは、付帯的に装飾効果を呈する発明として、第１発明において、前記ホルダ−の中空筒部に、上方の透光性と下方の不透光性とを配設するとともに、ＬＥＤ発光球を収納した透光性の横向き回転筒を収蔵し、該回転筒の外周に多色に渡るフィルタ−を貼着し、該回転筒をノブで回転することにより、中空筒部の透光性上方から選択された色光を照射するフィルタ−操作部を配設して成る。
【０００５】
【発明の実施の形態】
ホルダーの中空筒部は、内外周共に円形のものから、外周が角形或は内周が角形のものなど種々選択され、また、中空筒部に被蓋するキャップは、該中空筒部の内周に嵌着して被蓋するものから、外周に外嵌して被蓋するものなどであり、付帯的には着色されたものなども選択される。さらに、フィルター操作部を配設するホルダーでは、部分的に透光性を有し、他は不透光とするものなども選択される。
【０００６】
【実施例】
本発明を実施例により説明すると、図１の分図（ａ）に示すように、ＬＥＤ発光球１に抵抗器２を接続した発光部３と、該発光部３を保持する絶縁材からなるホルダー４と、該ホルダー４の下端に露出する電極５とから成るＬＥＤランプにおいて、本発明のＬＥＤランプａは、ホルダー４が、図２に示すように、前記発光部３を中空部６に収蔵する透光性の中空円筒部７と、該中空円筒部７の下端に傾斜部８を介して一体に連接する偏平部９とからなり、電極５が図１の分図（ｂ）に示すように、前記偏平部９の上下の偏平面１０で、前記ＬＥＤ発光球１の両端子１１、１２をそれぞれ横向きＵ状に露出成形したものから成る。
【０００７】
このようにして成るＬＥＤランプａは、各電極５に対応して配設した横向きＵ状の接点（図外）に嵌入接続されて、自動車のパーキングランプ、スモールランプ、ライセンスランプとして使用に供される。
したがって、従来のフィラメントの発光によるランプと異なり、ＬＥＤ発光球１による発光であるため、発熱がなくて消費電力も小さく、その上に長寿命であるから極めて経済的であり、さらに、各電極５が上下の各偏平面１０で各横向きＵ状の接点の上下内面に接触するから、安定した接触状態が保持され、衝撃や振動などでの接触不良を起こし難いのである。
【０００８】
次に、図３に示したＬＥＤランプｂについて説明すると、このものは前記ＬＥＤランプａにおいて、透光性のキャップ１３を被蓋したものである。なお、該キャップ１３は、その頂面中央部にレンズを配設したものなどで提供されることもある。
【０００９】
さらに、図４に示したＬＥＤランプｃは、前記ＬＥＤランプａにおいて、中空円筒部７にフィルター操作部２１を配設したもので、ＬＥＤ発光球１が、図５に示すフィルターとしての透光性の横向き回転筒１４の筒内部１５に右方の開口端から収納され、この状態で中空部６に収納され、左方の小孔１６には、ホルダー４の中空円筒部７の周壁に開口した前記小孔１６と略同径の挿通孔１７から挿通したノブ１８と一体の軸１９が嵌着固定され、前記回転筒１４の外周には、所要の分割領域に渡って、赤色、青色、黄色、白色、緑色などの多色に渡るフィルター２０が貼着され、中空円筒部７では、前記ノブ１８の軸心から上方を透光性とし、下方を不透光として成り、ノブ１８を介して回転筒１４周面のフィルター２０を選択することにより、色光の変化による装飾性を付帯させたものである。
したがって、ＬＥＤランプｃは自動車の車室灯として打って付けのものとなる。
【００１０】
【発明の効果】
以上のように本発明のＬＥＤランプによれば、中空筒部と偏平部との簡易構造のホルダーに、ＬＥＤ発光球を収蔵したものであるから、構造上も電力消費上からも極めて経済的であり、しかも、電極の接点との接続状態もしっかりして、衝撃や振動などの外力によっても接触不良を起こし難く、安定した電圧が維持されるから、寿命も長命化される上、多色に渡るフィルターを選択できるフィルター操作部を付加したものは、装飾効果をも奏するのである。
【図面の簡単な説明】
【図１】（ａ）は本発明のＬＥＤランプａの斜視図。（ｂ）は電極５の折曲成形状態を示す斜視図。
【図２】ＬＥＤランプａの要部の縦断面図。
【図３】本発明のＬＥＤランプｂの要部の縦断面図。
【図４】本発明のＬＥＤランプｃの要部の縦断面図。
【図５】ＬＥＤランプｃに用いるフィルター操作部２１の説明用斜視図。
【符号の説明】
１  ＬＥＤ発光球
２  抵抗器
３  発光部
４  ホルダー
５  電極
６  中空部
７  中空円筒部
８  傾斜部
９  偏平部
１０  偏平面
１１  、１２  端子
１３  キャップ
１４  回転筒
１５  筒内部
１６  小孔
１７  挿通孔
１８  ノブ
１９  軸
２０  フィルター
２１  フィルター操作部
ａ  ＬＥＤランプ
ｂ  ＬＥＤランプ
ｃ  ＬＥＤランプ
【図１】
0003694831.tif 000002
【図２】
0003694831.tif 000003
【図３】
0003694831.tif 000004
【図４】
0003694831.tif 000005
【図５】
0003694831.tif 000006